【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
１つまたは複数のプロセッサによって、第１のコンテンツプロバイダからの第１のビデオコンテンツを含むビデオ入力ストリームを入手するステップと、
前記ビデオ入力ストリームの前記第１のビデオコンテンツに基づいて、前記ビデオ入力ストリームの前記第１のビデオコンテンツとは異なる、ビデオ出力ストリームに対する置換ビデオコンテンツを選択するステップと、
前記ビデオ出力ストリームの前記置換ビデオコンテンツがディスプレイ上に提示されるようにするステップと、
前記ディスプレイが前記ビデオ出力ストリームの前記置換ビデオコンテンツを提示している間に、前記１つまたは複数のプロセッサによって、前記第１のコンテンツプロバイダから前記ビデオ入力ストリームの第２のコンテンツプロバイダへの変化が生じたことを示す、前記ビデオ入力ストリームの第１の変化が生じたと決定し、ここで、前記ビデオ入力ストリームは、前記第１の変化が生じた後に前記第２のコンテンツプロバイダからの第２のビデオコンテンツを含むものであるステップと、
前記第１のコンテンツプロバイダから前記第２のコンテンツプロバイダへの前記変化が生じたと決定したことに応答して、前記置換ビデオコンテンツの代わりに、前記ビデオ入力ストリームの前記第２のビデオコンテンツが前記ディスプレイ上に提示されるようにするステップと、
前記ビデオ入力ストリームの前記第２のビデオコンテンツが前記ディスプレイ上に提示された後に、
中間デバイスによって生成された第３のビデオコンテンツのための前記ディスプレイの画面部分に対応するテンプレートをデータベースから入手するステップと、
前記ビデオ入力ストリームが、前記第１のコンテンツプロバイダからの前記第１のビデオコンテンツ及び前記中間デバイスによって生成された前記第３のビデオコンテンツを含むときに、前記ビデオ入力ストリームのフレームの前記第３のコンテンツの少なくとも部分が前記テンプレートと一致すると決定するために、前記１つまたは複数のプロセッサによって、前記ビデオ入力ストリームを分析し、ここで、前記第３のビデオコンテンツは、前記ディスプレイ上に提示され、前記第１のコンテンツプロバイダの素性を示すように構成されているものであるステップと、
前記テンプレートと一致した前記ビデオ入力ストリームの前記フレームの前記第３のビデオコンテンツの前記少なくとも部分に基づいて、前記ビデオ入力ストリームの第２の変化が、前記ビデオ入力ストリームの前記第１のコンテンツプロバイダへの復帰を示すと決定するステップと、
前記ビデオ入力ストリームの前記第１のコンテンツプロバイダに復帰したとの前記決定に応答して、（i）前記ビデオ出力ストリームを、前記置換ビデオコンテンツ及び前記第３のビデオコンテンツを含むように変更し、（ii）前記ディスプレイ上に変更された前記ビデオ出力ストリームの前記置換ビデオコンテンツ及び前記第３のビデオコンテンツを提示させ、ここで、前記第３のビデオコンテンツは、前記置換ビデオコンテンツ上のビデオオーバレイとして提示されるものであるステップと
を含む方法。
【請求項２】
前記ビデオ出力ストリームを選択する前記ステップが、置換コンテンツサーバに、置換される前記第１のビデオコンテンツを示すものを含む要求を送信するステップを含む、
請求項１に記載の方法。
【請求項３】
前記要求を送信する前記ステップが、
１つまたは複数のプロセッサによって、前記ビデオ入力ストリームのフィンガプリントを生成するステップと、
前記ビデオ入力ストリームの前記フィンガプリントを、置換されるコンテンツのフィンガプリントと比較するステップと
を含む、請求項２に記載の方法。
【請求項４】
前記ビデオ入力ストリームの前記変化が前記ビデオ入力ストリームの前記第１のコンテンツプロバイダから前記第２のコンテンツプロバイダへの前記変化を示すと決定する前記ステップが、
前記ビデオ入力ストリームからフィンガプリントの系列を生成するステップと、
フィンガプリントの前記系列のうちの連続するフィンガプリントを、置換されるコンテンツの連続するフィンガプリントと比較するステップと
を含む、請求項１に記載の方法。
【請求項５】
前記ビデオ入力ストリームが、第１の通信ネットワークを介して受信され、前記置換ビデオコンテンツが、第２の通信ネットワークを介して受信される、請求項２に記載の方法。
【請求項６】
前記第１のコンテンツプロバイダが、ケーブルテレビ局である、請求項１に記載の方法。
【請求項７】
前記ビデオ入力ストリームの前記フレームの前記第３のビデオコンテンツの少なくとも前記部分が前記テンプレートと一致すると決定するために前記ビデオ入力ストリームを分析する前記ステップが、
前記ビデオ入力ストリームの前記フレームをダウンサンプリングするステップと、
前記ダウンサンプリングされたフレームと前記テンプレートとの間の相互相関を決定するステップと、
前記相互相関を閾値と比較するステップと
を含む、請求項１に記載の方法。
【請求項８】
命令を記憶するメモリと、
１つまたは複数のプロセッサであって、
第１のコンテンツプロバイダからの第１のビデオコンテンツを含むビデオ入力ストリームを入手する動作と、
前記ビデオ入力ストリームの前記第１のビデオコンテンツに基づいて、前記ビデオ入力ストリームの前記第１のビデオコンテンツとは異なる、ビデオ出力ストリームに対する置換ビデオコンテンツを選択する動作と、
前記ビデオ出力ストリームの前記置換ビデオコンテンツがディスプレイ上に提示されるようにする動作と、
前記ディスプレイが前記ビデオ出力ストリームの前記置換ビデオコンテンツを提示している間に、前記第１のコンテンツプロバイダから前記ビデオ入力ストリームの第２のコンテンツプロバイダへの変化が生じたことを示す、前記ビデオ入力ストリームの第１の変化が生じたと決定し、ここで、前記ビデオ入力ストリームは、前記第１の変化が生じた後に前記第２のコンテンツプロバイダからの第２のビデオコンテンツを含むものである動作と、
前記第１のコンテンツプロバイダから前記第２のコンテンツプロバイダへの前記変化が生じたと決定したことに応答して、前記置換ビデオコンテンツの代わりに、前記ビデオ入力ストリームの前記第２のビデオコンテンツが前記ディスプレイ上に提示されるようにする動作と、
前記ビデオ入力ストリームの前記第２のビデオコンテンツが前記ディスプレイ上に提示された後に、
中間デバイスによって生成された第３のビデオコンテンツのための前記ディスプレイの画面部分に対応するテンプレートをデータベースから入手する動作と、
前記ビデオ入力ストリームが、前記第１のコンテンツプロバイダからの前記第１のビデオコンテンツ及び前記中間デバイスによって生成された前記第３のビデオコンテンツを含むときに、前記ビデオ入力ストリームのフレームの前記第３のコンテンツの少なくとも部分が前記テンプレートと一致すると決定するために、前記ビデオ入力ストリームを分析し、ここで、前記第３のビデオコンテンツは、前記ディスプレイ上に提示され、前記第１のコンテンツプロバイダの素性を示すように構成されているものである動作と、
前記テンプレートと一致した前記ビデオ入力ストリームの前記フレームの前記第３のビデオコンテンツの前記少なくとも部分に基づいて、前記ビデオ入力ストリームの第２の変化が、前記ビデオ入力ストリームの前記第１のコンテンツプロバイダへの復帰を示すと決定する動作と、
前記ビデオ入力ストリームの前記第１のコンテンツプロバイダに復帰したとの前記決定に応答して、（i）前記ビデオ出力ストリームを、前記置換ビデオコンテンツ及び前記第３のビデオコンテンツを含むように変更し、（ii）前記ディスプレイ上に変更された前記ビデオ出力ストリームの前記置換ビデオコンテンツ及び前記第３のビデオコンテンツを提示させ、ここで、前記第３のビデオコンテンツは、前記置換ビデオコンテンツ上のビデオオーバレイとして提示されるものである動作と
を含む動作を実行するように前記命令によって構成された、１つまたは複数のプロセッサと
を備えるシステム。
【請求項９】
前記ビデオ出力ストリームを選択する前記動作が、置換コンテンツサーバに、置換される前記第１のビデオコンテンツを示すものを含む要求を送信する動作を含む、
請求項８に記載のシステム。
【請求項１０】
前記要求を送信する前記動作が、
前記ビデオ入力ストリームのフィンガプリントを生成する動作と、
前記ビデオ入力ストリームの前記フィンガプリントを、置換されるコンテンツのフィンガプリントと比較する動作と
を含む、請求項９に記載のシステム。
【請求項１１】
前記ビデオ入力ストリームの前記変化が前記ビデオ入力ストリームの前記第１のコンテンツプロバイダから前記第２のコンテンツプロバイダへの前記変化を示すと決定する前記動作が、
前記ビデオ入力ストリームからフィンガプリントの系列を生成する動作と、
フィンガプリントの前記系列のうちの連続するフィンガプリントを、置換されるコンテンツの連続するフィンガプリントと比較する動作と
を含む、請求項８に記載のシステム。
【請求項１２】
前記ビデオ入力ストリームが、第１の通信ネットワークを介して受信され、前記置換ビデオコンテンツが、第２の通信ネットワークを介して受信される、請求項９に記載のシステム。
【請求項１３】
前記第１のコンテンツプロバイダが、ケーブルテレビ局である、請求項８に記載のシステム。
【請求項１４】
前記ビデオ入力ストリームの前記フレームの前記第３のビデオコンテンツの少なくとも前記部分が前記テンプレートと一致すると決定するために前記ビデオ入力ストリームを分析する前記動作が、
前記ビデオ入力ストリームの前記フレームをダウンサンプリングする動作と、
前記ダウンサンプリングされたフレームと前記テンプレートとの間の相互相関を決定する動作と、
前記相互相関を閾値と比較する動作と
を含む、請求項８に記載のシステム。